(57)【要約】      （修正有）【課題】撮影範囲と撮影タイミングを報知する。【解決手段】スピーカは、スピーカ制御部に制御されて、撮影範囲と略同一の半内で聴き取ることのできる報知音を発生させる。スピーカ制御部は、セルフタイマ撮影モードにおいて、シャッタボタンが操作されると、撮影実行までの間、一定のサイクルで報知音を発生させ、撮影実行時には、撮影実行を表す報知音を発生させる。報知音により、被写体の人物は、自分が撮影範囲内に位置しているか否か、並びに、撮影タイミングを知ることができる。【選択図】図６
2007264457.tif 000002
【特許請求の範囲】
【請求項１】
撮影範囲と略同一の範囲内でのみ聴き取り可能な報知音を発生させる報知音発生手段と、
前記報知音発生手段を制御して前記報知音を発生させることによって、撮影実行のタイミング及び撮影範囲を報知する報知音制御手段とを備えたことを特徴とするカメラ。
【請求項２】
前記報知音制御手段は、撮影実行前と撮影実行時とで前記報知音を変化させることを特徴とする請求項１記載のカメラ。
【請求項３】
前記報知音制御手段は、撮影実行前に所定のサイクルで前記報知音を発生させることを特徴とする請求項１または２記載のカメラ。
【請求項４】
所定時間後、撮影処理を実行するセルフタイマ撮影機能を備えており、
前記報知音制御手段は、前記セルフタイマ撮影機能の実行に応じて前記報知音を発生させることを特徴とする請求項１〜３いずれか記載のカメラ。
【請求項５】
手動操作により操作指示の入力を行う入力手段を備えており、
前記報知音制御手段は、前記入力手段から入力された操作指示に応じて、前記報知音を発生させることを特徴とする請求項１〜４いずれか記載のカメラ。
【請求項６】
前記入力手段を、カメラ本体とは別体のリモコン装置に設けたことを特徴とする請求項５記載のカメラ。
【請求項７】
前記報知音発生手段は、撮影範囲と略同一の範囲に超音波を伝播させたときに生じる歪み成分を前記報知音として可聴させることを特徴とする請求項１〜６いずれか記載のカメラ。
【発明の詳細な説明】
【技術分野】
【０００１】
本発明は、撮影範囲及び撮影タイミングを知ることのできるカメラに関するものである。
【背景技術】
【０００２】
カメラのなかには、セルフタイマ撮影機能やリモコンを用いることで、撮影者が本体から離れた状態で撮影可能なものがある。このようなカメラを用いることで、撮影者自身を被写体として撮影を行う、いわゆる自分撮りができる。しかし、自分撮りを行う場合、撮影者が撮影範囲を確認できないといった問題があった。
【０００３】
このため、下記特許文献１には、撮影範囲をいくつかの領域に分け、各領域毎に異なる音が聞こえるようにしたカメラが記載されている。このカメラによれば、自分が撮影範囲のどの位置にいるかを音によって認識できるので便利である。
【特許文献１】特開平７−３３３７０７号公報
【発明の開示】
【発明が解決しようとする課題】
【０００４】
しかしながら、上記特許文献記載のカメラでは、撮影範囲を知ることはできるものの、撮影タイミングが分からないといった問題があった。
【０００５】
本発明は、被写体となる人物へ撮影範囲及び撮影タイミングを知らせることのできるカメラを提供することを特徴としている。
【課題を解決するための手段】
【０００６】
上記目的を達成するために、本発明のカメラは、撮影範囲と略同一の範囲内でのみ聴き取り可能な報知音を発生させる報知音発生手段と、前記報知音発生手段を制御して前記報知音を発生させることによって、撮影実行のタイミング及び撮影範囲を報知する報知音制御手段とを備えたことを特徴としている。
【０００７】
前記報知音制御手段は、撮影実行前と撮影実行時とで前記報知音を変化させることが好ましい。このとき、前記報知音発生手段は、報知音の音量、周波数、音域、発生サイクル、メロディなどを変化させる。さらに、撮影範囲や撮影タイミングに合わせた音声アナウンスを報知音として用いてもよい。
【０００８】
また、前記報知音制御手段は、撮影実行前に所定のサイクルで前記報知音を発生させることが好ましい。
【０００９】
さらに、所定時間後、撮影処理を実行するセルフタイマ撮影機能を備えており、前記報知音制御手段は、前記セルフタイマ撮影機能の実行に応じて前記報知音を発生させるものでもよい。
【００１０】
また、手動操作により操作指示の入力を行う入力手段を備えており、前記報知音制御手段は、前記入力手段から入力された操作指示に応じて、前記報知音を発生させるものでもよい。
【００１１】
前記入力手段を、カメラ本体とは別体のリモコン装置に設けることが好ましい。
【００１２】
また、前記報知音発生手段は、撮影範囲と略同一の範囲に超音波を伝播させたときに生じる歪み成分を前記報知音として可聴させるものでもよい。
【発明の効果】
【００１３】
本発明のカメラは、撮影範囲と略同一の範囲内で聴き取り可能な報知音を発生させる報知音発生手段と、前記報知音発生手段を制御して、前記報知音発生手段を制御して前記報知音を発生させることによって、撮影実行のタイミング及び撮影範囲を報知する報知音制御手段とを備えたので、撮影タイミングと撮影範囲とを知ることができ便利である。
【発明を実施するための最良の形態】
【００１４】
図１、図２において、デジタルカメラ１０のカメラ本体１２は、薄型の略直方体形状に形成され、その前面には、付属のリモコン１４から送られる操作信号を受信するリモコン信号受信部１６や、撮影レンズ１８、スピーカ２０などが設けられている。詳しくは後述するが、スピーカ２０は、撮影範囲や撮影タイミングを報知するための報知音を発生させる。
【００１５】
カメラ本体１２の上面には、電源のオン／オフと、撮影モード／再生モード／設定モードの切り換えを行うための操作ダイアル２２、並びに、撮影指示を行うためのシャッタボタン２４が設けられている。操作ダイアル２２は、電源オフ、撮影モード、再生モード、設定モードをそれぞれ選択するための４つの位置にそれぞれ回転操作される。操作ダイアル２２が電源オフの位置から撮影モード、再生モード、設定モードのいずれかの位置に回転されると、デジタルカメラ１０の電源がオンされる。
【００１６】
撮影モードは、通常撮影モードとセルフタイマ撮影モードとからなり、通常撮影モードでは、シャッタボタン２４を押下することで撮影処理が実行され、セルフタイマ撮影モードでは、シャッタボタン２４の押下後一定時間が経過すると自動的に撮影処理が実行される。撮影処理が実行されると、撮影レンズ１８を透過した被写体の画像が、カメラ本体１２に着脱自在なメモリカード２６に記録される。再生モードでは、メモリカード２６に記録された画像を表示することができる。設定モードでは、ホワイトバランス調節や、通常撮影モードとセルフタイマ撮影モードとの間の切り替えなど各種設定ができるようになっている。
【００１７】
カメラ本体１２の背面には、液晶ディスプレイ（ＬＣＤ）２８、ズームボタン３０、カーソルボタン３２が設けられている。ＬＣＤ２８は、撮影モードでは電子ビューファインダとして機能し、被写体のスルー画を表示する。また、再生モードでは、メモリカード２６に記録された画像を表示する。ズームボタン３０は、光学撮影倍率を変更する際に操作される。カーソルボタン３２は、主に設定モードで使用され、各種設定を行う際に操作される。
【００１８】
前述のように、デジタルカメラ１０にはリモコン１４が付属され、リモコン１４にはシャッタボタン２４に対応する撮影指示ボタン３４、並びに、報知音を手動で発生させるための撮影範囲確認ボタン３６が設けられている。デジタルカメラ１０では、このリモコン１４の撮影指示ボタン３４、撮影範囲確認ボタン３６、並びに、カメラ本体１２のシャッタボタン２４、操作ダイアル２２、ズームボタン３０、カーソルボタン３２などを操作することで各種指示を入力できる。
【００１９】
図３において、撮影レンズ１８は、撮影倍率を変倍するためのズームレンズと、焦点調節を行うためのフォーカスレンズとを備え、モータを含むレンズ駆動機構４０によって駆動される。絞り４２は、モータを含む絞り駆動機構４４によって駆動されて絞り径を切り換える。レンズ駆動機構４０及び絞り駆動機構４４は、モータドライバ４６、４８によって駆動される。
【００２０】
撮影レンズ１８の背後には、ＣＣＤイメージセンサ（ＣＣＤ）５０が配置されている。周知のように、ＣＣＤ５０は、受光量に応じた電荷を蓄積する複数の光電変換素子がマトリクス状に配列された受光部を備えており、タイミングジェネレータ（ＴＧ）５２から供給される駆動信号に基づいて、各光電変換素子に蓄積された電荷を１ラインずつシリアルな撮像信号として出力することで撮像を行う。
【００２１】
ＣＣＤ５０は、デジタルカメラ１０が撮影モードにセットされるとスルー画として画素数を落として撮像を開始する。また、ＣＣＤ５０は、通常撮影モードにおいてシャッタボタン２４が押下された場合、もしくは、セルフタイマ撮影モードにおいてシャッタボタン２４の押下後一定時間が経過した場合、スルー画の撮像を一端中止して記録用の本画像として画素数を落とさずに撮像を行う。本画像の撮像後は、スルー画の撮像が再開される。
【００２２】
アナログ信号処理回路５４には、ＣＣＤ５０から出力された撮像信号が入力される。アナログ信号処理回路５４には、図示しない相関二重サンプリング回路（ＣＤＳ）、増幅器（ＡＭＰ）、Ａ／Ｄ変換器（Ａ／Ｄ）が設けられており、入力された撮像信号は、ＣＤＳによるノイズ除去、ＡＭＰによる増幅が行われた後、Ａ／Ｄによりデジタルな画像データに変換されて出力される。
【００２３】
アナログ信号処理回路５４から出力された画像データは、データバス５６を介してフレームメモリ５７に出力されて記録される。フレームメモリ５７は、後述するデジタル信号処理回路５８が画像データに対して各種画像処理を行うための作業用メモリであって、画像データが一時的に記録される。
【００２４】
デジタル信号処理回路５８は、フレームメモリ５７に記録された画像データに対して、コントラスト補正、ホワイトバランス補正、γ補正などの各種画像補正処理を施す。デジタル信号処理回路５８において、各種処理が行われた処理済みの画像データは、スルー画として取得されたものはＬＣＤドライバ６０を介してＬＣＤ２８に表示され、本画像として取得されたものはメディアコントローラ６２を介してメモリカード２６に記録される。
【００２５】
これらデジタルカメラ１０の各部はデータバス５６を介して制御部７０に接続されている。制御部７０は、ＲＯＭ７２に記録された制御プログラムをＲＡＭ７４に読み出して接続された各部を駆動制御する。制御部７０による制御は、リモコン１４の撮影指示ボタン３４、撮影範囲確認ボタン３６、並びに、カメラ本体１２の操作部７６（シャッタボタン２４、操作ダイアル２２、ズームボタン３０、カーソルボタン３２など）から入力される操作指示に基づいて行われる。
【００２６】
また、制御部７０には、スピーカ制御部８０が設けられている。スピーカ制御部８０には、スピーカドライバ８２を介してスピーカ２０が接続されている。スピーカ２０は、周知の「パラメトリックスピーカ」の原理を利用したものであり、超音波（非可聴帯域）を放射し、この超音波が空気中を伝播する過程で生じる歪み成分から可聴帯域の音を得る超指向性のスピーカである。本実施形態では、スピーカドライバ８２の駆動によりスピーカ２０が動作し、撮影範囲と略同一の範囲に向かって超音波を放射する。
【００２７】
さらに、本実施形態では、スピーカ２０から発生される超音波の歪み成分が所定の報知音を構成するように、発生する超音波の波形、周波数帯域、音圧、発生時間などが予め求められており、スピーカ制御部８０には、これら波形、周波数帯域、音圧、発生時間などを表す報知音データが格納されている。スピーカ制御部８０は、この報知音データに基づき、スピーカドライバ８２を介してスピーカ２０を制御し、所定の報知音を発生させる。これにより、図４に示すように、撮影範囲と略同一の範囲内で報知音が聞こえ、それ以外の範囲ではほとんど報知音が聞こえない状態となる。
【００２８】
次に、上述した報知音によって撮影範囲や撮影タイミングを報知する手順について、図５、図６に示すフローチャートを用いて説明する。説明は、通常撮影モードとセルフタイマ撮影モードとに場合を分けて説明する。
【００２９】
先ず、図５を用いて通常撮影モード下での報知手順について説明する。通常撮影モード下で、撮影範囲確認ボタン３６が押下された際、スピーカ制御部８０は、例えば、「ピッ、ピッ、ピッ、ピッ」といったように、１回ずつの発生時間を短く、かつ、一定のサイクル（例えば、１秒間隔）でスピーカ２０から報知音を発生させる。このとき、被写体となる人物は、報知音が聞こえるか否かによって、自分が撮影範囲内に位置しているか否かを確認することができる。
【００３０】
そして、通常撮影モード下で、シャッタボタン２４もしくは撮影指示ボタン３４が押下された際、スピーカ制御部８０は、撮影処理の実行とほぼ同じタイミングで、例えば、「ピー」といったように、撮影実行前よりも長い報知音をスピーカ２０から発生させる。この報知音の変化を確認することによって、被写体の人物は、撮影タイミングを知ることができる。
【００３１】
続いて、図６を用いてセルフタイマ撮影モード下での報知手順について説明する。セルフタイマ撮影モード下で、シャッタボタン２４もしくは撮影指示ボタン３４が押下された際、スピーカ制御部８０は、が操作されると、例えば、「ピッ、ピッ、ピッ、ピッ」といったように、１回ずつの発生時間を短く、かつ、一定のサイクル（例えば、１秒間隔）でスピーカ２０から報知音を発生させる。このとき、被写体となる人物は、報知音が聞こえるか否かによって、自分が撮影範囲内に位置しているか否かを確認することができる。
【００３２】
そして、セルフタイマ撮影モード下で、シャッタボタン２４もしくは撮影指示ボタン３４の押下から一定時間が経過すると、スピーカ制御部８０は、撮影処理の実行とほぼ同じタイミングで、例えば、「ピー」といったように、撮影実行前よりも長い報知音をスピーカ２０から発生させる。この報知音の変化を確認することによって、被写体の人物は、撮影タイミングを知ることができる。
【００３３】
このように、デジタルカメラ１０では、報知音により、撮影範囲や撮影タイミングを知ることができるので便利である。また、光などを用いて撮影範囲や撮影タイミングを報知した場合、撮影画像の色合いや明るさに影響がでることがあるが、本発明では音声を用いて報知を行っているためこのようなことがない。さらに、報知音により撮影範囲内の人物に撮影されている旨を報知できるため、盗撮など被写体が望まない撮影を防止するためにも有効である。さらに、報知音は、撮影範囲内でのみ可聴であるため、撮影範囲外の人物に、不快な印象を与えることもない。
【００３４】
なお、本発明は、撮影範囲や撮影タイミングを報知する報知音を発生できればよいので、各部の構成は上記実施形態に限定されるものではない。例えば、上記実施形態では、撮影範囲確認ボタンをリモコンに設ける例で説明をしたが、撮影範囲確認ボタンをカメラ本体側に設けてもよい。
【００３５】
また、上記実施形態では、報知音として、「ピッ」及び「ピー」といったビープ音を用いる例で説明をしたが、これ以外の音を報知音として用いてもよい。また、人間の声を録音したり、人間の声を模した電子音声を報知音として用い、撮影範囲や撮影タイミングに合わせた音声アナウンスにより撮影範囲や撮影タイミングを報知するといったことも考えられる。
【００３６】
さらに、上記実施形態では、超音波を利用し、撮影範囲と略同一の範囲で報知音を聴き取れるようにした例で説明をしたが、スピーカに、ホーンやリフレクタ、音響管など音の伝播方向を限定する機構を設けることによって、撮影範囲と略同一の範囲で報知音を聴き取れるようにしてもよい。この場合、高周波の音の方が指向性が強いため、高周波の音を報知音として用いることが好ましい。
【００３７】
さらに、上記実施形態では、撮影前は所定のサイクル（例えば、１秒間隔）で報知音を発生させる例で説明をしたが、本発明はこれに限定されるものではない。報知音の種類や発生タイミングは、適宜設定できるので、例えば、撮影タイミングが近づくにつれ、報知音の発生サイクルを短くしたり、報知音の音程を変化させてもよい。
【００３８】
なお、上記実施形態では、デジタルカメラを例に説明をしたが、例えば、動画を撮影するデジタルビデオカメラに本発明を適用してもよい。この場合、動画の撮影開始時、もしくは、動画の撮影中継続して報知音を発生させる。もちろん、デジタルカメラやデジタルビデオカメラに限定されず、写真フイルムに被写体像を焼き付けるいわゆる銀鉛カメラに本発明を適用してもよい。
【００３９】
また、図７に示すカメラ付き携帯電話９０のように、カメラを内蔵した各種機器に本発明を適用してもよい。図７において、本発明を実施したカメラ付き携帯電話９０は、電話器本体９１の背面側に、撮影レンズ９２、及び、報知音を発生させるためのスピーカ９４が設けられている。
【図面の簡単な説明】
【００４０】
【図１】デジタルカメラの前面側外観図である。
【図２】デジタルカメラの背面側外観図である。
【図３】デジタルカメラの構成図である。
【図４】撮影範囲と報知音の可聴範囲とを示す説明図である。
【図５】通常撮影モードにおいて撮影範囲や撮影タイミングを報知する手順を示すフローチャートである。
【図６】セルフタイマ撮影モードにおいて撮影範囲や撮影タイミングを報知する手順を示すフローチャートである。
【図７】カメラ付き携帯電話の外観図である。
【符号の説明】
【００４１】
１０  デジタルカメラ
１４  リモコン
１８、９２  撮影レンズ
２０、９４  スピーカ
３６  撮影範囲確認ボタン
５０  ＣＣＤ
７０  制御部
８０  スピーカ制御部
９０  カメラ付き携帯電話
【図１】
2007264457.tif 000003
【図２】
2007264457.tif 000004
【図３】
2007264457.tif 000005
【図４】
2007264457.tif 000006
【図５】
2007264457.tif 000007
【図６】
2007264457.tif 000008
【図７】
2007264457.tif 000009